(57)【要約】      （修正有）【課題】多量の温泉湯を巡回して多量のマイナスイオンを発生出来る装置を提供する。【解決手段】蓄積層１，２，３，４からの温泉湯の落差があり（例えば黒曜石とトルマリン鉱石）に温泉湯が流れることにより、黒曜石とトルマリン鉱石の特性によって、マイナスイオンが発生して、電気石から遠赤外線と電気赤外線が発生する。また温泉湯の蒸気１０のエアー噴出しにより室内にマイナスイオンが充満する。ボイラーにより温熱を送り、の床温熱発生装置１１から快適温度の温熱が床からトルマリン鉱石を温め、特殊コンクリートブロックに伝道しトルマリン石セラミックスボールに快適温度と鉱石のマイナスイオンと遠赤外線が寝て居る身体に温熱で伝わる。【選択図】図１
2006000596.tif 000002
【特許請求の範囲】
【請求項１】
電気鉱石（トルマリン鉱石・ラジウム鉱石）等、マイナスイオン発生できる鉱石類を（１）番から（４）番の蓄積層を段差に組み立て其の蓄積層に鉱石を投入して行う装置です。
【請求項２】
温泉湯又は、自然水を一番層の上段よりシャワー方式で流し入れ鉱石の中を温泉湯が通過して、（１）番から（４）番層に流れる装置です。
【請求項３】
（１）番鉱石蓄積層に温泉湯が蓄積され鉱石の中を通過し、（１）番蓄積層の底に無数の穴を開けて、温泉湯が其の穴から（２）番蓄積層にシャワー状態となって落ち溜まり、（２）番蓄積層に温泉湯が鉱石の間を通過して、（２）番蓄積層の底に穴を開けて落下させることにより滝落しのように見えて、（３）番鉱石蓄積層の鉱石の中を流れて（４）番の床下の周囲の鉱石の中を通過して（５）番の巡回ポンプ層に溜まり、送水ポンプで（１）番蓄積層に送られる装置です。補給された温泉湯量は（５）番の蓄積層からマイナスイオンが含まれた湯となり、男女風呂に送られる装置です。
【請求項４】
（１例）黒曜石と、トルマリン鉱石をこの装置に使用した場合は、マイナス電極に蓄えられた電子は、温泉湯又は（水）に触れると瞬間的に放電され、水分子は水素イオン（Ｈ＋）と水酸イオン（ＯＨ−）に電気分解される。
そしてＨプラスはトルマリン電極に引き付けられ水素ガス（Ｈ２）となり、放出される。
ＯＨマイナスは水分子（Ｈ２Ｏ）と結合して〔ヒドロキシルイオン（Ｈ３Ｏ−）〕と呼ばれる界面活性様効果を持った物質を発生し続ける。
これが〔マイナスイオン〕である。
【請求項５】
（１０）はエアーパイプに無数の穴があり其の穴から、エアーが吹き出る装置です。
（８）の穴から温泉湯とマイナスイオンが滝のように落下し、其の後方に（１０）エアーが吹き出ているので、マイナスイオンと湿度が室内に平均化して充満でき、快適室内空気となり、呼吸によって身体に入り活性化される装置です。
【請求項６】
（８）は温泉湯の滝落とし穴出口です。（１）番蓄積層から（２）（３）（４）（５）の蓄積層に、矢印のように温泉湯が流れながら（６）黒曜石と電気鉱石の間を通過して５の温水蓄積層に溜り、（１５）の送水ポンプによって（７）に投入される仕組みです。巡回される事によりマイナスイオンが多く発生して室内が充満し、室内のマイナスイオンが出来る装置です。
【請求項７】
（１１）の床暖房装置から〔特殊コンクリート工法、パーライト（黒曜石を加工した材料〕を７５％＋砂１５％＋セメント１０％で練り上げたコンクリートで（１６）の温熱パイプから適温の熱が特殊コンクリートのパーライト（黒曜石）を伝わり（１３）のトルマリンセラミックスボールに快適の温度が温まり、マイナスイオンが温熱により発生して（１８）の寝ている身体に快適温度が伝道して身体にマイナスイオンが温熱で伝わるため血行が良く、リラックスしながら、マイナスイオンが伝わりサワヤカな汗が多量に出るので、水分を飲み体の毒素を汗と一緒に出す方法です。
例えば（快適温度）とは４０℃から５０℃です。
室内は（１０）の温風から快適湿度（６０％）を室内にマイナスイオンが充満となり呼吸により身体が活性化する装置です。
【請求項８】
（１）蓄積層に黒曜石投入、（２）蓄積層に電気鉱石（トルマリン鉱石）等を投入、（３）蓄積層に黒曜石を投入、（４）のＵ字溝に鉱石を使用する事で色々の効力が発生し身体の活性効果に結びつくのです。
（例）ラジウム岩石等を組み合わせによって（放射線使用許可が必要）（１２）に組み合わせると効力は倍増できます。
【請求項９】
床暖房装置（２１）のボイラーから適温の熱湯が（２２）の銅管の中を流れて特殊コンクリート（パーライト多量使用コンクリート施工工法）の伝導率とパーライトから熱により発散するイオンが血行に良く、暖房の省エネルギーに最適の工法です。
【請求項１０】
温泉湯（１）（２）（３）蓄積層の中で黒曜石と電気石（トルマリン鉱石）等に温泉湯が通過するのでマイナスイオンが発生しながら、（８）穴を通過して（４）Ｕ字溝の中に流れ込み、（６）電気石（トルマリン鉱石・黒曜石を通過する事で温泉湯の快適な湿度とマイナスイオンが室内と（１２）トルマリン原石に湿度を加えてマイナスイオンと遠赤外線の発生に役立って、マイナスイオンが室内に充満する装置です。
〔特殊コンクリート〕
一般的のコンクリートは（セメント１０％・砂３０％・砂利６０％）を練り合わせたコンクリートを使用します。
今回の特殊コンクリートは１例（セメント１０％・砂１５％・バーライト７５％黒曜石の加工材料）で練り合わせたコンクリートを使用する事により、温度の伝導速度を調整する、蓄積された特殊コンクリート内の温熱により遠赤外線及びイオンが発生して健康効果が良く、床強度も通常の使用に耐えうる協力者の発明です。
【請求項１０】
床上の平面図（２４）１例（４９ｃｍ四角×厚み８ｃｍ）の板を特殊コンクリートで作り（１３）トルマリンセラミックスボールを埋め込み。（１４）のパイプ等を９本を取り付け〔図面２床断面図〕のように作成します。（工場加工）
【請求項１１】
トルマリン原石の上に敷き詰めて（１４）のパイプの中に（２５）ミニートルマリンセラミックスボールを投入する。
（２４）の特殊ブロック板のツナギ目に（２５）のミニートルマリンセラミックスボールをスキマに入れる事により床下からのマイナスイオン熱がブロック空間と（１４）のパイプを通り（１３）のトルマリンセラミックスボールに伝導して身体に温熱で伝導する装置です。
【発明の詳細な説明】
【発明の詳細な説明】
【温泉湯又は、真水に熱を加えて、電気石（トルマリン鉱石）及び黒曜石からマイナスイオンを発生させる装置】
【０００１】トルマリン鉱石を粉末にしてセラミックスボールに加工して（１３）のように埋め込み、又床下よりトルマリン原石に温熱が加わり（１４）のパイプの中のトルマリンセラミックスボールと（１３）のトルマリンセラミックスボール身体に触る事により温熱でマイナスイオンが身体につたわり活性化する装置です。
この発明は、温熱を加え、温泉とサウナを結合させて下着を着たまま寝てリラックスしながら巡回滝落しによりマイナスイオンを呼吸と床下から身体に伝動させる装置です。
【背景技術】
【０００２】サウナは室内が高温と室内が狭く長時間、熱苦しく、喚起が悪く我慢をしながら汗を搾り出しているのが現状のサウナです。
【発明が解決しようとする課題】
【０００３】室内が広く、リラックス音楽により冷静になり、ネオン装置と遠赤外線装置等が発生し電気赤外線設置を使用、快適湿度と快適温度により（例えば湿度６０％、温度４０℃−５０℃）にセットして。温泉湯に黒曜石とトルマリン鉱石等に温熱を加える事によりマイナスイオンが発生し、寝ながらマイナスイオンが呼吸により体内に吸収され、床下よりマイナスイオンが体に伝導し血行が良く、マイナスイオン水を飲みながら、下着を着たまま長時間男女混浴が出来、多量の快適な汗が体の毒素と一緒に排除されることにより生活習慣病が解決さる装置です。
【課題を解決するための手段】
【０００４】この発明の具体例を図面によって説明すると、（１）（２）（３）（４）の蓄積層に多量の（６）黒曜石と電気石（トルマリン鉱石）が蓄積されて、温泉湯熱と電気石の特性効果が発生する装置です。
電気石（例えばトルマリン鉱石の特性）
１．永久微弱電流の発生効果
Ａ、電場形成  Ｂ、マイナスイオン発生  Ｃ、界面活性様作用
２．遠赤外線効果
４から１４ミクロンの波長、黒体と同レベル
３．ミネラルの溶出効果    Ｂ（ホウ素）Ｍｇ（マグネシウム）Ｆｅ（鉄）
長野県黒曜石岩石の含有率
１．珪酸（無水珪酸）  ７６．３６        ２．酸化アルミニウム    １２．４０
３．酸化カリウム      ４．４２          ４．三酸化鉄            １．０５
５．酸化カルシウム    ０．４７          ６．酸化マグネシウム    ０．１４
７．酸化マンガン      ０．１８          ８．ホウ素              １５０ｐｐｍ
９．ニッケル          ３８ｐｐｍ        １０．銅                ２０ｐｐｍ
１１．亜鉛            ２０ｐｐｍ        １２．モリブデン        ９０ｐｐｍ
１３．銀              ２５ｐｐｍ        １４．リン              ３００ｐｐｍ
１５．スズ            ２５０ｐｐｍ      １６．リチウム          ８６ｐｐｍ
１７．ストロンチウム  １０ｐｐｍ        １８．コバルト          ３０ｐｐｍ
良い水を作る波動の高い石です。
今回使用する信州和田峠の黒曜石からは微弱な赤外線など磁力線が出ることが知られている石です。
【０００５】１．床温熱装置と温泉湯のシャワーのような滝落としにより、快適な湿度が室内でマイナスイオンが発生して呼吸を介して身体に入ることで身体が活性化されるサウナ装置です。
２  床下に（トルマリン鉱石、ラジウム鉱石）、其の他の電気石等を多量に敷き詰めることが出来る装置です。
快適の温度（例えば４０℃から５０℃の温熱を加えることでマイナスイオンが発生します。身体に直接マイナスイオンが温位で伝わり多量のサワヤカナ汗が出ることで身体が活性化します。
３  トルマリン鉱石に温泉湯の湯熱力が加わることで電圧が生まれ、（圧電気ビエゾ電気）湿度変化が生じると正面に電荷を発生します。静電気の電圧とエネルギーを発生する赤外線裝置です。
【赤外線の健康効果】
【０００６】身体から常に放出されている熱エネルギーを、いったんトルマリンが吸収しマイナスイオンと赤外線に変化して、再び身体に戻す働きをします。
疲労回復・胃腸の活性化・冷え症の緩和ができるのです。
【マイナスイオンの健康効果（自然治癒力の増強】
細胞の浄化作用・血液の浄化作用・抵抗力の増加作用・自立神経の調整作用交換神経の働きの抑制・副交換神経の働きの増進・皮膚病・肌の美白効果・細胞の自然治力の増加等のマイナスイオン発生装置です。
【室内装置】
リラックス音楽と赤外線イオンと温泉滝落とし装置で寝ながら健康回復ができ楽しめるサウナ温泉装置です。
【（１７）Ｕ字溝の効果】
床下周囲に温熱湯が回る事により（１２）床下のトルマリン原石に湿度と温度が加わりマイナスイオン発生効率が有効です。
【符号の説明】
１．  第１番蓄積層
２．  第２番蓄積層
３．  第３番蓄積層
４．  第４番周囲の温泉湯水路
【Ｕ字溝】
５．  巡回送水ポンプ、湯の蓄積層
６．  電気石・トルマリン鉱石・黒曜石
７．  元温泉湯又は水・５からの巡回湯の投入口
８．  湯の出口穴
９．  トルマリン原石
【電気石】
１０．  穴開き空気噴出しパイプ
１１．  床温熱発生装置
【特殊コンクリート工法】
１２．  電気石
【トルマリン鉱石】
１３．  トルマリン石セラミックスポール
１４．  パイプ
【下からの温熱通り穴】
１５、  巡回ポンプ
１６．  熱湯送管
【銅管】
固定バンドと台木
１７．  Ｕ字溝
【温泉湯の水路】
１８．  寝る場所
１９．  温湯
【温泉湯】
２０．  通路板
２１．  ボイラー機械
【ボイラー室】
２２．  送湯パイプ
【銅管】
２３．  断熱材
２４．  ４角型  特殊コンクリートブロック工法
２５．  ミニートルマリン石セラミックスボール
２６．  床コンクリート躯体
【図１】
2006000596.tif 000003
【図２】
2006000596.tif 000004
【図３】
2006000596.tif 000005
【図４】
2006000596.tif 000006